(57)【特許請求の範囲】
【請求項１】
ダンボールにより１枚の展開状態に形成され、一列に連設された４枚の側板を内側に折り曲げることにより４つの側面が構成され、前記各側板の上端辺に連設された４枚の蓋板を内側に折り曲げることにより蓋面が構成され、前記各側板の下端辺に連設された４枚の底板を内側に折り曲げることにより底面が構成され、それにより直方体形状に組み立てられるダンボール箱において、
最上面に折り曲げる互いに対向した一対の前記蓋板に、該一対の蓋板を閉じたときに互いに近接して向き合う突き合わせ端縁を設け、
前記一対の蓋板のうちの一方の蓋板の突き合わせ端縁に差し込み片を突設すると共に、他方の蓋板の突き合わせ端縁に、前記差し込み片が差し込まれる差し込み口を設け、
前記他方の蓋板の突き合わせ端縁を、該蓋板の先端に連設した補強板を該蓋板の下面に重なるように内側に折り曲げた際の山折り部で構成し、その山折り部に、前記差し込み口を形成する共に、該差し込み口の下側に、差し込み案内用の受片を形成し、かつ、前記差し込み口の両側に差し込み挿入用の切り込みを設けたことを特徴とするダンボール箱。
【請求項２】
請求項１に記載のダンボール箱であって、
前記山折り部が、前記ダンボールの厚み相当の間隔をおいて形成された互いに平行な第１、第２の山折り線でそれぞれ略直角に前記補強板を折り曲げることにより形成されていることを特徴とするダンボール箱。
【請求項３】
請求項２に記載のダンボール箱であって、
前記山折り部に、前記蓋板側の第１の山折り線上に位置する第１の切り込み線と、該第１の切り込み線の両端から該第１の切り込み線と直交する方向に前記補強板側の第２の山折り線まで形成された第２の切り込み線と、からなるコ字状の切り込みが設けられており、前記第１、第２の山折り線で前記補強板を前記蓋板の下面に重なるように折り曲げた際に、前記コ字状の切り込みの開放によって前記差し込み口が開口状態とされ、同時に、前記第１、第２の切り込み線で囲まれた矩形板状部分が前記蓋板から切り離されることによって、前記差し込み口の下側に、前記山折り部より突出し且つ前記補強板と同一平面をなす差し込み案内用の受片が形成されることを特徴とするダンボール箱。
【請求項４】
請求項１〜３のいずれか１項に記載のダンボール箱であって、
前記差し込み片の基部側の側縁に、前記差し込み口の側縁に係合するロック用の切欠が設けられていることを特徴とするダンボール箱。
【請求項５】
請求項１〜４のいずれか１項に記載のダンボール箱であって、
前記最上面となる蓋板の下側に位置する互いに対向する一対の前記蓋板に、該一対の蓋板を閉じたときに互いに近接して向き合う突き合わせ端縁が設けられ、それら突き合わせ端縁の少なくとも一方に、指等を差し込むための切欠が設けられていることを特徴とするダンボール箱。
【請求項６】
請求項１〜５のいずれか１項に記載のダンボール箱であって、
展開状態における、前記差し込み片を有する蓋板の基部から前記差し込み片の先端縁までの距離と、前記補強板を有する蓋板の基部から前記補強板の先端縁までの距離と、残る２枚の蓋板の基部から各先端縁までの距離とが、略均一に設定されていることを特徴とするダンボール箱。
【発明の詳細な説明】
【技術分野】
【０００１】
本発明は、引っ越し等の際に利用する物流用の直方体形状のダンボール箱に関するものである。
【背景技術】
【０００２】
この種のダンボール箱の従来例として、図６に示すものが知られている（例えば、特許文献１参照）。
【０００３】
このダンボール箱１１０は、ダンボールにより１枚の展開状態に形成され、一列に連設された４枚の側板１２１〜１２４を内側に折り曲げることにより４つの側面が構成され、各側板１２１〜１２４の上端辺に連設された４枚の蓋板１４１〜１４４を内側に折り曲げることにより蓋面が構成され、各側板１２１〜１２４の下端辺に連設された４枚の底板１３１〜１３４を内側に折り曲げることにより底面が構成され、それにより直方体形状に組み立てられるものである。
【０００４】
一方の対向する一対の蓋板１４２、１４４の先端縁には差し込み片１４５が突設され、他方の対向する一対の蓋板１４１、１４３には、差し込み片１４５が差し込まれる差し込み口１５０が設けられている。また、対向する一対の底板１３１、１３３の先端縁には、互いに係合する切欠１３１ａ、１３３ａが設けられている。
【０００５】
このダンボール箱１１０に物を収容する場合は、まず、４枚の側板１２１〜１２４を内側に折り曲げて、始めと終わりの側板１２１、１２４の近接側縁同士を接合し、次に、４枚の底板１３１〜１３４を内側に内側に折り曲げて、交互に噛み合わせながら切欠１３１ａ、１３３ａを係合させることにより、側面と底面を構成する。
【０００６】
その上で被収納物を収容し、次いで、他方の対向する一対の蓋板１４１、１４３を内側に折り曲げて閉じ、その上から一方の対向する一対の蓋板１４２、１４４を内側に折り曲げて閉じ、上側に重ねた蓋板１４２、１４４の先端の差し込み片１４５を、下側の蓋板１４１、１４３の差し込み口１５０に差し込むことで、蓋面を閉じて箱詰めを完了する。
【０００７】
ところで、このダンボール箱１１０の場合、蓋面に段差ができやすいため、上にダンボール箱１１０を積み重ねた場合に次の不具合が生じることがある。即ち、上側のダンボール箱１１０を積んだ状態のまま水平方向にスライドさせた場合、下側のダンボール箱１１０の蓋面の段差と上側のダンボール箱１１０の底面の底板１３１〜１３４の縁部が引っかかりを起こし、そのため特に底板１３１〜１３４の縁部が捲れるという不具合を生じやすい。
【０００８】
この原因となる蓋面に段差ができやすい理由について検討してみたところ、このダンボール箱１１０においては、蓋板１４１、１４３の上に直接形成した差し込み口１５０に、別の蓋板１４２、１４４に形成した差し込み片１４５を挿入する構造となっているが、その差し込みの際に、差し込み片１４５が斜めに差し込まれることになり、その影響で、蓋板１４２、１４４の縁部が浮き上がりやすくなり、その縁部により段差が生じるということがわかった。
【０００９】
また、そのような引っかかりの問題を回避し得るダンボール箱として、図７に示すように、最上面の蓋板２４１を１枚もので構成したダンボール箱２１０が知られている（例えば、特許文献２参照）。図８はその展開図である。
【００１０】
このダンボール箱１１０は、ダンボールにより１枚の展開状態に形成され、一列に連設された４枚の側板２２１〜２２４を内側に折り曲げることにより４つの側面が構成され、各側板２２１〜２２４の上端辺に連設された４枚の蓋板２４１〜２４４を内側に折り曲げることにより蓋面が構成され、各側板２２１〜２２４の下端辺に連設された４枚の底板２３１〜２３４を内側に折り曲げることにより底面が構成され、それにより直方体形状に組み立てられるものである。一列に並んだ側板２２１〜２２４のうち始めの側板２２１の側縁には、接合代２２５が設けられている。
【００１１】
対向する一対の底板２３１、２３３の先端縁には、互いに係合する切欠２３１ａ、２３３ａが設けられている。また、最上面に閉じる蓋板２４１は、蓋面の全面積を賄う１枚ものとして構成されており、その先端縁には、根元部分に第２の差し込み口２４６を有する第１の差し込み片２４５が突設されている。また、この蓋板２４１と対向する関係にある蓋板２４３の根元には、第１の差し込み片２４５の差し込まれる第１の差し込み口２４８が設けられると共に、その第１の差し込み口２４８を跨ぐように、その蓋板２４３と該蓋板２４３が連設された側板２２３にかけての範囲にコ字状の切り込みを入れることで、第２の差し込み片２４７が形成されている。なお、最上面に閉じる蓋板２４１以外の蓋板２４２〜２４４は、単に寸法の小さいフラップ状のものとして形成されている。
【００１２】
このダンボール箱２１０に物を収容する場合は、まず、４枚の側板２２１〜２２４を内側に折り曲げて、始めと終わりの側板１２１、１２４の側縁同士を接合代２２５を用いて接合し、次に４枚の底板２３１〜２３４を内側に内側に折り曲げて、交互に噛み合わせながら切欠２３１ａ、２３３ａを係合させることにより、側面と底面を構成する。
【００１３】
その上で被収納物を収容し、次いで、寸法の小さいフラップ状の蓋板２４２〜２４４を内側に折り曲げて閉じ、その上から寸法の大きい蓋板２４１を内側に折り曲げて閉じ、最上面に閉じた蓋板２４１の先端の第１の差し込み片２４５を、対向する蓋板２４３の根元の第１の差し込み口２４８に差し込む。次いで、第２の差し込み片２４７を断面Ｌ字状の形態で、先に差し込んだ第１の差し込み片２４５の根元にある第２の差し込み口２４６に差し込むことで、第１の差し込み片２４５を抜け止めする。これにより、箱詰めを完了する。
【特許文献１】特開昭５８−１３４８５０号公報（図１）
【特許文献２】特開２００５−２６７４６２号公報（図１６）
【発明の開示】
【発明が解決しようとする課題】
【００１４】
図７、図８に示したダンボール箱２１０は、蓋面がフラットになるので、ダンボール箱２１０を上に積んで水平方向にスライドさせた場合にも、上下のダンボール箱２１０の引っかかりがなくなる。
【００１５】
しかし、蓋面をフラットにするために最上面の蓋板２４１を、蓋面の全面積分を賄う１枚ものとしている関係で、１枚の蓋板２４１だけが大きく、他の蓋板２４２〜２４４と寸法が不均一になり、材料取りが悪くなるという問題がある。
【００１６】
即ち、最上面に閉じる蓋板２４１の根元から差し込み片２４５の先端縁までの距離Ｔ４が最大寸法であるから、側板２２１〜２２４の寸法Ｔ１と底板２３１〜２３４の寸法Ｔ２を足した全体寸法Ｔの材料から材料取りを行わなくてはならないが、他の蓋板２４２〜２４４は最小寸法Ｔ３に制限してあるから、前記蓋板２４１の寸法Ｔ４と不均一になり、無駄の多い効率の悪い材料取りになる。
【００１７】
また、寸法が不均一となるために、側板２２１〜２２４を折り曲げる時の位置合わせがしにくくなり、生産性が悪くなるという問題もある。
【００１８】
また、図６に示したダンボール箱１１０も、図７、図８に示したダンボール箱２１０も、蓋面の強度が不足し、上に物を載せた際に蓋面が凹むおそれがあった。
【００１９】
本発明は、上記事情を考慮し、上に積み重ねた状態で上の箱を水平方向にスライドさせた場合にも、上下の箱間で引っかかりが発生しにくく、上に物を載せた場合にも蓋面が凹みにくく、しかも、材料取りがしやすくて、折り曲げの際の位置決めもしやすく、結果として生産性の向上が図れるダンボール箱を提供することを目的とする。
【課題を解決するための手段】
【００２０】
請求項１の発明は、ダンボールにより１枚の展開状態に形成され、一列に連設された４枚の側板を内側に折り曲げることにより４つの側面が構成され、前記各側板の上端辺に連設された４枚の蓋板を内側に折り曲げることにより蓋面が構成され、前記各側板の下端辺に連設された４枚の底板を内側に折り曲げることにより底面が構成され、それにより直方体形状に組み立てられるダンボール箱において、最上面に折り曲げる互いに対向した一対の前記蓋板に、該一対の蓋板を閉じたときに互いに近接して向き合う突き合わせ端縁を設け、前記一対の蓋板のうちの一方の蓋板の突き合わせ端縁に差し込み片を突設すると共に、他方の蓋板の突き合わせ端縁に、前記差し込み片が差し込まれる差し込み口を設け、前記他方の蓋板の突き合わせ端縁を、該蓋板の先端に連設した補強板を該蓋板の下面に重なるように内側に折り曲げた際の山折り部で構成し、その山折り部に、前記差し込み口を形成すると共に、該差し込み口の下側に、差し込み案内用の受片を形成し、かつ、前記差し込み口の両側に差し込み挿入用の切り込みを設けたことを特徴とする。
【００２１】
請求項２の発明は、請求項１に記載のダンボール箱であって、前記山折り部が、前記ダンボールの厚み相当の間隔をおいて形成された互いに平行な第１、第２の山折り線でそれぞれ略直角に前記補強板を折り曲げることにより形成されていることを特徴とする。
【００２２】
請求項３の発明は、請求項２に記載のダンボール箱であって、前記山折り部に、前記蓋板側の第１の山折り線上に位置する第１の切り込み線と、該第１の切り込み線の両端から該第１の切り込み線と直交する方向に前記補強板側の第２の山折り線まで形成された第２の切り込み線と、からなるコ字状の切り込みが設けられており、前記第１、第２の山折り線で前記補強板を前記蓋板の下面に重なるように折り曲げた際に、前記コ字状の切り込みの開放によって前記差し込み口が開口状態とされ、同時に、前記第１、第２の切り込み線で囲まれた矩形板状部分が前記蓋板から切り離されることによって、前記差し込み口の下側に、前記山折り部より突出し且つ前記補強板と同一平面をなす差し込み案内用の受片が形成されることを特徴とする。
【００２３】
請求項４の発明は、請求項１〜３のいずれか１項に記載のダンボール箱であって、前記差し込み片の基部側の側縁に、前記差し込み口の側縁に係合するロック用の切欠が設けられていることを特徴とする。
【００２４】
請求項５の発明は、請求項１〜４のいずれか１項に記載のダンボール箱であって、前記最上面となる蓋板の下側に位置する互いに対向する一対の前記蓋板に、該一対の蓋板を閉じたときに互いに近接して向き合う突き合わせ端縁が設けられ、それら突き合わせ端縁の少なくとも一方に、指等を差し込むための切欠が設けられていることを特徴とする。
【００２５】
請求項６の発明は、請求項１〜５のいずれか１項に記載のダンボール箱であって、展開状態における、前記差し込み片を有する蓋板の基部から前記差し込み片の先端縁までの距離と、前記補強板を有する蓋板の基部から前記補強板の先端縁までの距離と、残る２枚の蓋板の基部から各先端縁までの距離とが、略均一に設定されていることを特徴とする。
【発明の効果】
【００２６】
請求項１の発明によれば、蓋板の下側に補強板を折り曲げることにより、蓋板が補強板との二重構造になるので、蓋面の強度が増し、上に物を載せた際の蓋面の凹みを防止することができる。
【００２７】
また、蓋板自体に直接差し込み口を設けるのではなく、蓋板の下側に補強板を折り曲げた際にできる山折り部に差し込み口を設けているので、相手側の差し込み片を蓋板や補強板と平行に差し込み口に差し込むことができる。従って、従来のように、蓋板上に設けた差し込み口に差し込み片を差し込んだ場合は、差し込み片がどうしても斜めに差し込まれることになるために、蓋板の端縁部に浮き上がりが生じてしまい、それが、他のダンボール箱を上に積み重ねた際に、上のダンボール箱の底面の段差と引っかかりを起こす原因となりやすかったが、それを解消することができる。つまり、差し込み片を蓋板と略平行に差し込めることにより、蓋板の端縁部の浮き上がりを防止することができ、他のダンボール箱を上に積み重ねた状態でスライドさせた場合にも、上側のダンボール箱の底面との引っかかりをできるだけ解消することができる。特に、差し込み口の下側に差し込み案内用の受片を形成し、かつ、差し込み口の両側に差し込み挿入用の切り込みを設けたので、該差し込み案内用の受片の上を滑らせるようにして差し込み片を差し込み口に差し込み挿入用の切り込みを介してスムーズに挿入して深く容易に差し込むことができ、蓋の閉じ操作を簡単かつ確実に行うことができると共に、該差し込み案内用の受片が蓋板の外側に露出することがなく、他のダンボール箱を上に積み重ねた状態でスライドさせた場合にも、上側のダンボール箱の底面との引っかかりを確実に解消することができる。
【００２８】
また、上記の引っかかりの問題の解消により、差し込み片と差し込み口による係合部分を蓋面の中央に配置することができるようになる。これにより、蓋板の基部から先端（差し込み片があるものはその先端縁、補強板があるものはその先端縁）までの寸法の均一化を図ることができる。そのため、材料取りの無駄を低減することができると共に、ダンボール箱を組み立てる際に、蓋板の先端縁や底板の先端縁を基準にして、正確且つ容易に組み立てることができ、生産性の向上が図れる。
【００２９】
請求項２の発明によれば、ダンボールの厚み相当の間隔をおいて形成された第１と第２の２本の山折り線で山折り部を形成したことにより、山折り部にダンボールの厚み相当の高さを設けることができる。従って、差し込み口の高さを差し込み片の厚さ相当に確保することができ、差し込み片を容易に差し込み口に差し込むことができるようになる。また、山折り部が平坦な端面を有した断面コ字形になるため、その平坦な端面への差し込み口の形成が楽にできることになる。
【００３０】
請求項３の発明によれば、補強板の山折り部に、第１の切り込み線と第２の切り込み線よりなるコ字状の切り込みを入れてあるので、補強板を折り曲げることによって、差し込み口を開口させることができる。また、コ字状の切り込みの第１の切り込み線を、蓋板側の第１の山折り線上に形成しているので、補強板を折り曲げた際に、蓋板との連結部分から切り離しが行われることになり、コ字状の切り込みにより囲まれた矩形板状部分が、補強板側に、山折り部から突出し且つ補強板と同一平面をなす形態で受片として残ることになる。つまり、差し込み口の下側に、差し込み口の下端縁と高さを一致させた受片が形成されることになる。従って、その受片を案内にして、差し込み片を差し込み口へ誘導することができるようになり、差し込みやすくなる。例えば、受片がない場合は、上下方向の位置を探りながら、差し込み口に差し込み片を挿入しなければならないが、本発明のように差し込み口の下側に受片がある場合、受片の上を滑らせるようにして差し込み片を差し込み口に挿入することができる。このため、スムーズに差し込みを行うことができ、蓋の閉じ操作が簡単にできることになる。
【００３１】
請求項４の発明によれば、差し込み片を差し込み口に根元まで挿入すると、切欠が差し込み口の側縁に係合するので、差し込み片を抜け止めすることができ、蓋面の無用の開きを防止できる。
【００３２】
請求項５の発明によれば、下側の一対の蓋板についても、突き合わせ端縁同士を突き合わせるようにしたので、上側の蓋板の全面を下側の蓋板で支えることができ、蓋面の強度アップを図ることができる。また、下側の蓋板の突き合わせ端縁に切欠を設けたので、蓋板を閉じた状態でその切欠に指等を入れることにより、容易に蓋板を開くことができる。
【００３３】
請求項６の発明によれば、蓋板の基部から先端までの寸法を均一化したので、材料取りの無駄を低減することができると共に、ダンボール箱を組み立てる際に、蓋板の先端縁や底板の先端縁を基準にして、正確且つ容易に組み立てることができ、生産性の向上が図れる。
【発明を実施するための最良の形態】
【００３４】
以下、本発明の実施形態を図面を参照して説明する。
【００３５】
図１は実施形態のダンボール箱の展開図、図２は同ダンボール箱の組み立て途中の状態を示す斜視図、図３は同ダンボール箱の蓋を閉じようとしている状態を示す斜視図、図４は同ダンボール箱の蓋を閉じた状態を示す斜視図、図５は同ダンボール箱における差し込み片と差し込み口の係合部分の断面図である。
【００３６】
このダンボール箱１０は、ダンボールにより１枚の展開状態に形成され、一列に連設された第１〜第４の４枚の側板２１〜２４をヒンジ部２１ｃ、２３ｄ、２３ｃで内側に折り曲げることにより４つの側面が構成され、各側板２１〜２４の上端辺に連設された第１〜第４の４枚の蓋板４１〜４４をヒンジ部２１ａ、２２ａ、２３ａ、２４ａで内側に折り曲げることにより蓋面が構成され、各側板２１〜２４の下端辺に連設された第１〜第４の４枚の底板３１〜３４をヒンジ部２１ｂ、２２ｂ、２３ｂ、２４ｂで内側に折り曲げることにより底面が構成され、それにより直方体形状に組み立てられるものである。一列に並んだ側板２２１〜２２４のうち始めの側板２１の側縁には、ヒンジ部２１ｄを介して接合代２５が設けられている。
【００３７】
互いに対向する第１の底板３１と第３の底板３３の各先端縁には、互いに係合する台形状の切欠３１ａ、３３ａが設けられ、各底板３１、３３の各片側の側部には、全底板３１〜３４を噛み合わせるときに先端の三角形部分３１ｂ、３３ｂを曲げやすくするヒンジ部３１ｃ、３３ｃが設けられている。なお、各三角形部分３１ｂ、３３ｂの根元には、ヒンジ部３１ｃ、３３ｃで曲げやすくするための切欠３１ｄ、３３ｄが形成されている。
【００３８】
第１の蓋板４１と第３の蓋板４３は最上面に折り曲げる蓋板であり、これら最上面に折り曲げる互いに対向した蓋板４１、４２には、これらの蓋板４１、４４を閉じたときに互いに近接して向き合う突き合わせ端縁４１ａ、４３ａが設けられている。第１の蓋板４１の突き合わせ端縁４１ａは、該蓋板４１の先端に連設した補強板４６を、蓋板４１の下面に重なるように内側に折り曲げた際の山折り部４８で構成されている。
【００３９】
また、これら２枚の第１、第３の蓋板４１、４３のうちの一方の蓋板である第３の蓋板４３の突き合わせ端縁４３ａには、２枚の差し込み片４５が間隔をおいて突設されている。また、他方の蓋板である第１の蓋板４１の突き合わせ端縁４１ａには、差し込み片４５が差し込まれる差し込み口５０が設けられている。
【００４０】
第１の蓋板４１の突き合わせ端縁４１ａは山折り部４８で形成されているので、差し込み口５０は、その山折り部４８に形成されている。
【００４１】
この場合の山折り部４８は、ダンボールの厚み相当の間隔Ｈをおいて形成された互いに平行な第１、第２の山折り線４８ａ、４８ｂでそれぞれ略直角に補強板４６を折り曲げることにより形成されている。
【００４２】
山折り部４８には、蓋板４１側の第１の山折り線４８ａ上に位置する第１の切り込み線４７ａと、該第１の切り込み線４７ａの両端から該第１の切り込み線４７ａと直交する方向に補強板４６側の第２の山折り線４８ｂまで形成された第２の切り込み線４７ｂと、からなるコ字状の切り込み４７が設けられている。
【００４３】
そして、第１、第２の山折り線４８ａ、４８ｂで補強板４６を蓋板４１の下面に重なるように折り曲げた際に、図３に示すように、コ字状の切り込み４７の開放によって差し込み口５０が開口状態とされ、同時に、第１、第２の切り込み線４７ａ、４７ｂで囲まれた矩形板状部分が蓋板４１から切り離されることによって、差し込み口５０の下側に、山折り部４８より突出し且つ補強板４６と同一平面をなす受片５１が形成されるようになっている。
【００４４】
また、差し込み片４５の基部側の側縁には、差し込み口５０の側縁に係合するロック用の切欠４５ａが設けられている。また、差し込み口５０を形成するコ字状の切り込み４７の第２の切り込み線４７ｂの外側（差し込み口５０の両側）には、ロックし得る幅（差し込み口５０より若干大きめの幅）を有した差し込み片４５を、差し込み口５０にスムーズに挿入できるようにするための小さな差し込み挿入用の切り込み４７ｃが設けられている。
【００４５】
また、最上面となる第１、第３の蓋板４１、４３の下側に位置する第２、第４の蓋板４２、４４にも、これらの蓋板４２、４４を閉じたときに互いに近接して向き合う突き合わせ端縁４２ａ、４４ａが設けられ、それらの突き合わせ端縁４２ａ、４４ａには、指等を差し込むための半円状の切欠４９が設けられている。なお、いずれか一方の蓋板４２、４４に切欠４９がありさえすればよい。
【００４６】
また、このように構成されたダンボール箱１０は、展開状態において、差し込み片４５を有する第３の蓋板４３の基部から差し込み片４５の先端縁までの距離と、補強板４６を有する第１の蓋板４１の基部から補強板４６の先端縁までの距離と、残る２枚の蓋板４２、４４の基部から各先端縁までの距離とが、略均一の寸法Ｓ３に設定されている。従って、側板２１〜２４の寸法Ｓ１と底板４１〜４４の寸法Ｔ２を足した全体寸法Ｓのダンボールから無駄なく材料取りして形成することができる。
【００４７】
なお、第３の蓋体４３の基部から先端までの途中には、差し込み片４５を差し込み孔５０に差し込むときに折り曲げるヒンジ部４３ｂが設けられ、そのヒンジ部４３ｂの両端には、ヒンジ部４３ｂを折り曲げやすくするための切欠４３ｃが設けられている。
【００４８】
このダンボール箱１０に物を収容する場合は、まず、４枚の側板２１〜２４をヒンジ部２１ｃ、２３ｄ、２３ｃ、２１ｄで内側に折り曲げて、始めと終わりの側板２１、２４の側縁同士を接合代２５を用いて接合し、次に４枚の底板３１〜３４を内側に内側に折り曲げて、交互に噛み合わせながら切欠３１ａ、３３ａを係合させることにより、側面と底面を構成する。
【００４９】
その上で被収納物を収容し、次いで、寸法の第２の蓋板４２と第４の蓋板４４をヒンジ部２２ａ、２４ａで内側に折り曲げて閉じ、その上から第１の蓋板４１と第３の蓋板４３をヒンジ部２１ａ、２３ａで内側に折り曲げて閉じる。
【００５０】
その際、第１の蓋板４１の先端に連設してある補強板４６を、第１、第２の山折り線４８ａ、４８ｂで内側に山折りすることにより、補強板４６を第１の蓋板４１の下面側に折り曲げる。こうすることにより、蓋板４１が補強板４６との二重構造になる。また、このように補強板４６を折り曲げることにより、図３に示すように、コ字状の切り込み４７の開放によって差し込み口５０が開口状態となり、同時に、第１、第２の切り込み線４７ａ、４７ｂで囲まれた矩形板状部分が蓋板４１から切り離されることによって、差し込み口５０の下側に、山折り部４８より突出し且つ補強板４６と同一平面をなす受片５１として残る。
【００５１】
従って、あとは第３の蓋板４３を途中のヒンジ部４３ｂで曲げながら、２つの差し込み片４５をそれぞれの差し込み口５０に挿入する（図５参照）。そうすれば、差し込み片４５の切欠４５ａが差し込み口５０の両側縁に係合し、差し込み片４５が抜け止めロックされる。これにより、図４の状態になり、箱詰めが完了する。
【００５２】
このダンボール箱１０の場合、第１の蓋板４１の下側に補強板４６を折り曲げることにより、蓋板４１が補強板４６との二重構造になるので、蓋面の強度が増し、上に物を載せた際の蓋面の凹みを防止することができる。
【００５３】
また、第１の蓋板４１自体に直接差し込み口５０を設けるのではなく、蓋板４１の下側に補強板４６を折り曲げた際にできる山折り部４８に差し込み口５０を設けているので、図５に示すように、相手側の差し込み片４５を蓋板４１や補強板４６と平行に差し込み口５０に差し込むことができる。従って、図６に示した従来例のように、蓋板１４１、１４３上に設けた差し込み口１５０に差し込み片１４５を差し込んだ場合は、差し込み片１４５がどうしても斜めに差し込まれることになるために、蓋板１４２、１４４の端縁部に浮き上がりが生じてしまい、それが、他のダンボール箱を上に積み重ねた際に、上のダンボール箱の底面の段差と引っかかりを起こす原因となりやすかったが、それを解消することができる。
【００５４】
つまり、図４及び図５に示すように、差し込み片４５を蓋板４１と略平行に差し込めることにより、蓋板４１の端縁部の浮き上がりを防止することができ、他のダンボール箱を上に積み重ねた状態でスライドさせた場合にも、上側のダンボール箱１０の底面との引っかかりをできるだけ解消することができる。特に、差し込み口５０の下側に山折り部４８より突出し且つ補強板４６と同一平面をなす差し込み案内用の受片５１を形成し、かつ、差し込み口５０の両側に差し込み挿入用の切り込み４７ｃを設けたので、差し込み案内用の受片５１の上を滑らせるようにして差し込み片４５を差し込み口５０に差し込み挿入用の切り込み４７ｃを介してスムーズに挿入して深く容易に差し込むことができ、各蓋板４１，４３の閉じ操作を簡単かつ確実に行うことができると共に、差し込み案内用の受片５１が各蓋板４１，４３の外側に露出することがなく、他のダンボール箱を上に積み重ねた状態でスライドさせた場合にも、上側のダンボール箱１０の底面との引っかかりを確実に解消することができる。
【００５５】
また、上記の引っかかりの問題の解消により、本実施形態のように、差し込み片４５と差し込み口５０による係合部分を蓋面の中央に配置することができるようになる。これにより、蓋板４１〜４４の基部から先端（差し込み片４５があるものはその先端縁、補強板４６があるものはその先端縁）までの寸法Ｓ３の均一化を図ることができる。そのため、材料取りの無駄を低減することができると共に、ダンボール箱を組み立てる際に、蓋板４１〜４４の先端縁や底板３１〜３４の先端縁を基準Ｍ１、Ｍ２（図１参照）にして、正確且つ容易に組み立てることができ、生産性の向上が図れる。
【００５６】
また、ダンボールの厚み相当の間隔Ｈをおいて形成された第１と第２の２本の山折り線４８ａ、４８ｂで山折り部４８を形成したことにより、山折り部４８にダンボールの厚み相当の高さを設けることができる。従って、差し込み口５０の高さを差し込み片４５の厚さ相当に確保することができ、差し込み片４５を容易に差し込み口５０に差し込むことができるようになる。また、山折り部４８が平坦な端面を有した断面コ字形になるため、その平坦な端面への差し込み口５０の形成が楽にできることになる。
【００５７】
また、補強板４６の山折り部４８に、第１の切り込み線４７ａと第２の切り込み線４７ｂよりなるコ字状の切り込み４７を入れてあるので、補強板４６を折り曲げることによって、差し込み口５０を開口させることができる。また、コ字状の切り込み４７の第１の切り込み線４７ａを、蓋板４１側の第１の山折り線４８ａ上に形成しているので、補強板４６を折り曲げた際に、蓋板４１との連結部分から切り離しが行われることになり、コ字状の切り込み４７により囲まれた矩形板状部分が、補強板４６側に、山折り部４８から突出し且つ補強板４６と同一平面をなす形態で受片５１として残ることになる。つまり、差し込み口５０の下側に、差し込み口５０の下端縁と高さを一致させた受片５１が形成されることになる。従って、図５０に示すように、その受片５１を案内にして、差し込み片４５を差し込み口５０へ誘導することができるようになり、差し込みやすくなる。
【００５８】
例えば、受片５１がない場合は、上下方向の位置を探りながら、差し込み口５０に差し込み片４５を挿入しなければならないが、本実施形態のように差し込み口５０の下側に受片５１がある場合、受片５１の上を滑らせるようにして差し込み片４５を差し込み口５０に挿入することができる。このため、スムーズに差し込みを行うことができ、蓋の閉じ操作が簡単にできることになる。
【００５９】
また、差し込み片４５を差し込み口５０に根元まで挿入すると、切欠４５ａが差し込み口５０の両側縁に係合するので、差し込み片４５を抜け止めすることができ、蓋面の無用の開きを防止できる。
【００６０】
また、下側に閉じる第２、第４の蓋板４２、４４についても、突き合わせ端縁４２ａ、４４ａ同士を突き合わせるようにしたので、上側の第１、第３の蓋板４１、４３の全面を下側の第２、第４の蓋板４２、４４で支えることができ、蓋面の強度アップを図ることができる。また、下側の第２、第４の蓋板４２、４４の突き合わせ端縁４２ａ、４４ａに切欠４９を設けたので、蓋板４２、４４を閉じた状態でその切欠４９に指等を入れることにより、容易に蓋板４２、４４を開くことができる。
【００６１】
また、本実施形態では、蓋板４１〜４４の基部から先端までの寸法を均一化したので、材料取りの無駄を低減することができると共に、ダンボール箱を組み立てる際に、蓋板４１〜４４の先端縁や底板３１〜３４の先端縁を基準にして、正確且つ容易に組み立てることができ、生産性の向上が図れる。
【図面の簡単な説明】
【００６２】
【図１】本発明の実施形態のダンボール箱の展開図である。
【図２】同ダンボール箱の組み立て途中の状態を示す斜視図である。
【図３】同ダンボール箱の蓋を閉じようとしている状態を示す斜視図である。
【図４】同ダンボール箱の蓋を閉じた状態を示す斜視図である。
【図５】同ダンボール箱における差し込み片と差し込み口の係合部分の断面図である。
【図６】従来のダンボール箱の一例を示す斜視図である。
【図７】従来のダンボール箱の他の例を示す斜視図である。
【図８】図７のダンボール箱の展開図である。
【符号の説明】
【００６３】
１０  ダンボール箱
２１〜２４  側板
３１〜３４  底板
４１〜４４  蓋板
４１ａ〜４４ａ  突き合わせ端縁
４５  差し込み片
４５ａ  ロック用の切欠
４６  補強板
４７  コ字状の切り込み
４７ａ  第１の切り込み線
４７ｂ  第２の切り込み線
４８  山折り部
４８ａ  第１の山折り線
４８ｂ  第２の山折り線
４９  切欠
５０  差し込み口
５１  受片
【要約】      （修正有）【課題】上下の箱間で引っかかりが発生しにくく、上に物を載せた場合にも蓋面が凹みにくく、しかも、材料取りがしやすくて、折り曲げの際の位置決めもしやすく、結果として生産性の向上が図れるようにする。【解決手段】側板と蓋板と底板の折り曲げにより直方体形状に組み立てられるダンボール箱１０において、第３の蓋板４３の突き合わせ端縁４３ａに差し込み片４５を突設し、第１の蓋板４１の突き合わせ端縁４１ａを、先端に連設した補強板４６を該蓋板の下面に重なるように内側に折り曲げた際の山折り部４８で構成して、その山折り部４８に、差し込み口５０を形成した。【選択図】図３【図１】
0004178174.tif 000002
【図２】
0004178174.tif 000003
【図３】
0004178174.tif 000004
【図４】
0004178174.tif 000005
【図５】
0004178174.tif 000006
【図６】
0004178174.tif 000007
【図７】
0004178174.tif 000008
【図８】
0004178174.tif 000009